(57)【要約】【課題】パチンコ台等の遊技装置に使用されているＲＯＭを収納する回路ボックスとそれを封印する封印シールにおいて、前記封印シールを剥がし、不正なＲＯＭ等に差し替えても、不正な行為が容易に分かる回路ボックスとそれを封印する封印シールの提供。【解決手段】上板１ｂに開口部を有する回路ボックス本体１と、該開口部を開閉するヒンジ付蓋３とで構成され、前記ヒンジ付蓋３の端部と上板の端部とを封印シール６で封印する封印シール貼り付け部を有し、該封印シール貼り付け部の両端にシール曲げ貼り溝５が設けられ、該シール曲げ貼り溝５傾斜面８の最深部に、垂直シール接着面７と連続する横長の突起９が設けられている回路ボックスである。【選択図】図４
2009125110.tif 000002
【特許請求の範囲】
【請求項１】
上板に、内部に収納されている回路基板を脱着するための開口部を有する回路ボックス本体と、該開口部を開閉するヒンジ付蓋とで構成される回路ボックスにおいて、前記ヒンジ付蓋のヒンジ部と対峙する端部と前記開口部を形成する上板の端部とを封印シールで封印するための封印シール貼り付け部を有し、該封印シール貼り付け部の両端にシール曲げ貼り溝が設けられ、該シール曲げ貼り溝は封印シールが貼付される垂直シール接着面とこの最深部で連続している傾斜面とで構成されていることを特徴とする回路ボックス。
【請求項２】
前記シール曲げ貼り溝を構成する傾斜面の最深部に、前記垂直シール接着面と連続する横長の突起が設けられていることを特徴とする請求項１記載の回路ボックス。
【請求項３】
前記シール曲げ貼り溝を構成する垂直シール接着面に、上部は平面であり、深部にいく程起伏が大きくなる複数の三角錐形状乃至半円錐形状の立体造形が施されていることを特徴とする請求項１または２に記載の回路ボックス。
【請求項４】
前記シール曲げ貼り溝を構成する垂直シール接着面と前記封印シール貼り付け部の水平面との角が、側面からみて円弧の形状を有していることを特徴とする請求項１乃至３の何れかに記載の回路ボックス。
【請求項５】
前記シール曲げ貼り溝を照明する照明具を設けたことを特徴とする請求項１乃至４の何れかに記載の回路ボックス。
【請求項６】
請求項１乃至５の何れかに記載の回路ボックスを封印する封印シールであって、前記封印シールの先端部に複数の切り込みが設けられていることを特徴とする封印シール。
【請求項７】
前記封印シールの先端部に地紋および／または固有情報の印刷が施されていることを特徴とする請求項６記載の封印シール。
【請求項８】
前記封印シールの先端部に非接触ＩＣタグのアンテナエレメントの一部が設けられていることを特徴とする請求項６または７に記載の封印シール。
【発明の詳細な説明】
【技術分野】
【０００１】
本発明は、パチンコ台等の遊技装置に使用されているＲＯＭ等を収納する回路ボックスとそれを封印する封印シールに関するものであり、さらに詳しくは、回路ボックス中に収納されているＲＯＭを取り外し不正なＲＯＭとの差し替える等の不正行為を防止する回路ボックスとそれを封印する封印シールに関する。
【背景技術】
【０００２】
従来、パチンコ台等の遊戯装置を制御するために使用されるＲＯＭは、そのほとんどが装置内の回路ボックスの中に保管されている。この回路ボックスの蓋を故意に開封して中の回路基板より外し、他の不正なＲＯＭと差し替えたのち、また戻すという不正行為が行われており、これを防ぐ方法として回路ボックスの蓋を封印シール等によって封印する方法が通常的に行われている。
【０００３】
しかし、回路ボックスの封印シール貼り付け部分に貼付されている封印シールを、スクレーパー（へら）のような道具を使い、回路ボックスの平面に沿って接着層の部分を封印シールの形状を壊さずに剥がすし、この封印シールを剥がした後、装着されているＲＯＭを外し不正なＲＯＭと差し替え、再び外した封印シールを貼り付けても外観上その痕跡を確認することが出来ず、不正を発見することが至極困難であるという問題があった。
【０００４】
上記問題点を解消するものとして、基材と接着層の間にパターン状の脆質層を施し、封印シールを剥がそうとするとシールの形状を壊してしまう封印シールがある（例えば、特許文献１参照）。
【特許文献１】特開２００７−０７８８０４号公報
【発明の開示】
【発明が解決しようとする課題】
【０００５】
しかしながら、上記の従来技術においても、ＲＯＭが収納されている回路ボックスの封印シール貼り付け部分が平面であるため、上記のようにスクレーパー（へら）のような道具を使うと、回路ボックスの平面に沿って接着層の部分を封印シールの形状を壊さずに剥がすことが比較的容易にできるという問題があった。
【０００６】
本発明は、かかる従来技術の問題点を解決するものであり、その課題とするところは、パチンコ台等の遊技装置に使用されているＲＯＭを収納する回路ボックスとそれを封印する封印シールにおいて、前記封印シールの形状を壊さずに剥がすことが困難になるよう、回路ボックスの封印シール貼り付け部分を複雑な形状で立体化し、封印シールを剥がしＲＯＭ等を不正なものと差し替えて剥がした封印シールを再び貼っても、そのシールの外観に剥がした痕跡が残り、不正な行為が行われたことが容易に分かる回路ボックスとそれを封印する封印シールを提供することにある。
【課題を解決するための手段】
【０００７】
本発明に於いて上記課題を達成するために、まず請求項１の発明では、上板に、内部に収納されている回路基板を脱着するための開口部を有する回路ボックス本体と、該開口部を開閉するヒンジ付蓋とで構成される回路ボックスにおいて、前記ヒンジ付蓋のヒンジ部と対峙する端部と前記開口部を形成する上板の端部とを封印シールで封印するための封印シール貼り付け部を有し、該封印シール貼り付け部の両端にシール曲げ貼り溝が設けられ、該シール曲げ貼り溝は封印シールが貼付される垂直シール接着面とこの最深部で連続している傾斜面とで構成されていることを特徴とする回路ボックスとしたものである。
【０００８】
また、請求項２の発明では、前記シール曲げ貼り溝を構成する傾斜面の最深部に、前記垂直シール接着面と連続する横長の突起が設けられていることを特徴とする請求項１記載の回路ボックスとしたものである。
【０００９】
また、請求項３の発明では、前記シール曲げ貼り溝を構成する垂直シール接着面に、上部は平面であり、深部にいく程起伏が大きくなる複数の三角錐形状乃至半円錐形状の立体造形が施されていることを特徴とする請求項１または２に記載の回路ボックスとしたものである。
【００１０】
また、請求項４の発明では、前記シール曲げ貼り溝を構成する垂直シール接着面と前記封印シール貼り付け部の水平面との角が、側面からみて円弧の形状を有していることを特徴とする請求項１乃至３の何れかに記載の回路ボックスとしたものである。
【００１１】
また、請求項５の発明では、前記シール曲げ貼り溝を照明する照明具を設けたことを特徴とする請求項１乃至４の何れかに記載の回路ボックスとしたものである。
【００１２】
また、請求項６の発明では、請求項１乃至５の何れかに記載の回路ボックスを封印する封印シールであって、前記封印シールの先端部に複数の切り込みが設けられていることを特徴とする封印シールとしたものである。
【００１３】
また、請求項７の発明では、前記封印シールの先端部に地紋および／または固有情報の印刷が施されていることを特徴とする請求項６記載の封印シールとしたものである。
【００１４】
さらにまた、請求項８の発明では、前記封印シールの先端部に非接触ＩＣタグのアンテナエレメントの一部が設けられていることを特徴とする請求項６または７に記載の封印シールとしたものである。
【発明の効果】
【００１５】
本発明は以上の構成であるから、下記に示す如き効果がある。
【００１６】
即ち、上記請求項に係る発明によれば、回路ボックスに封印シールが所定に位置に貼り付けられた状態では、シール曲げ貼り溝を構成する垂直シール接着面の最下部でシール曲げ貼り溝の最も深くて最も狭い部分に封印シールの先端部がシールされているため、その先端部は一般的な形状のスクレーパーやカッター等では、封印シールの形状を壊さずに剥がすことはかなり難しく、仮に特殊な形状のシール剥がしスクレーパーを作ったとしても、垂直シール接着面に連続する横長の突起の如き立体造形により、シールは張力を持って貼り付けられているため、シールを剥がす課程でシールの紙基材が延び、結果地紋や固有情報の印刷あるいは非接触ＩＣタグのアンテナエレメントの変形によって不正行為の痕跡が残ってしまい、不正行為が発覚し易くなり、また、シール曲げ貼り溝を照明する照明用にＬＥＤランプ等を設けることによって、不正行為の痕跡を発見し易くすることができる。このように、本発明の封印シールのシール剥がしの難しさと併せ、不正行為を抑止する効果を奏する回路ボックスとそれを封印する封印シールである。
【発明を実施するための最良の形態】
【００１７】
以下本発明を実施するための最良の形態を図面を用いて詳細に説明する。
【００１８】
図１は、本発明の回路ボックスのヒンジ付蓋３が開いた状態の斜視図であり、この回路ボックス本体１の中には、パチンコ台等の遊技装置を制御するための回路基板２が入って
おり、この回路基板２上には遊技内容を決定するためのＲＯＭが搭載されている。このヒンジ付蓋３を閉じることで回路基板２を保護することができるようになっている。
【００１９】
図２は、回路ボックス本体１の開口部１ａをヒンジ付蓋３で閉じた状態の斜視図であり、このヒンジ付蓋３のヒンジ部３ａと対峙する端部３ｂと上記開口部１ａを形成する上板１ｂの端部１ｃとを封印するための封印シール貼り付け部４の位置に図示しない封印シールが貼り付けられるようになっている。この回路ボックス本体１の封印シール貼り付け部４の両端にはシール曲げ貼り溝５が施されている。
【００２０】
図３は、封印シール６の両先端をシール曲げ貼り溝５の垂直シール接着面７に沿って貼り付ける構造になっている。また図４（ａ）は、封印シール６が封印シール貼り付け部４に貼り付けられた状態の図であり、ヒンジ付蓋３を開くには、封印シール６をヒンジ付蓋３と回路ボックス本体１の継ぎ目部分まで剥がすか、または封印シール６のヒンジ付蓋３と回路ボックス本体１の継ぎ目部分を切り離さない限り開くことができない状態を作り出している。なおヒンジ付蓋３のヒンジ部３ａは回路ボックス本体１内にあり、外部からは見えないようになっていてこのヒンジ部３ａを簡単に壊すことはできない構造になっている。
【００２１】
図４（ｂ）は、上記図４（ａ）に示すシール曲げ貼り溝５のＡ部分を拡大した断面図であり、封印シール６は、回路ボックス本体１のシール曲げ部１０を経て垂直シール接着面７に沿った形で貼り付けられている。その封印シール６の先端部６ａ付近、すなわちシール曲げ貼り溝５を構成する垂直シール接着面７の最深部に連続して、このシール曲げ貼り溝５を構成する傾斜面８の最深部に横長の突起９が設けられている。この傾斜面８は垂直シール接着面７に対し約４５度の傾斜を持った斜面である。
【００２２】
上記シール曲げ部１０は、封印シール６をカッター等で切って不正に開封される場合を想定して、カットされた痕跡を見やすくするためにその角を無くし円弧の曲げ部としてある。また、横長の突起９は、特殊なカッター等で傾斜面８に沿って封印シール６の先端部６ａを容易に剥がされないようにするための連続した突起９である。さらにこの横長の突起９は、垂直シール接着面７側の面の角度が４５度以上の角度を持っており、封印シール６の先端部を一層剥がし難くしている。
【００２３】
図５は、図４（ｂ）と同じ断面図であり、垂直シール接着面７に貼られた封印シール６を目視している図である。これによると約４５度の角度を持った傾斜面８側からシール垂直接着面７に貼られた封印シール６の状態を目１１の方向より目視すると、不正に剥がされた痕跡、または貼り直しされた痕跡等を容易に確認できるようになっている。
【００２４】
図６は、シール曲げ貼り溝を構成する垂直シール接着面７に、上部が平面で深部にいくに従って起伏が大きくなる三角錐形状の立体造形２０を施した正面図であり、この三角錐形状の立体造形２０を有する垂直シール接着面７にしっかりと密着するよう封印シールを貼り付けられるが、そのためには特に図示しないが図４（ｂ）に示すようなシール曲げ貼り溝５と同形状のオス型のシール貼り専用治具を作製し、その治具を使って貼り付けることができる。ここに貼られる封印シール６は、例えば、図８に示すような封印シール６の先端部６ａに切り込み２４が施されており、図６に示す上部シール仮想線２１の辺りは平面であり、下部シール仮想線２２の辺りは起伏があるため、例えば、図９に示すような張力が封印シール６上に発生し、その度合いはシール先端部６ａにいく程は大きくなり、その結果切り込み２４が開く形で垂直シール接着面７に接着され、さらに切り込み２４の切り込み深部２５では、常にシールが裂けようとする状態で垂直シール接着面７に接着されるようになる。この状態で封印シール６の先端部６ａを浮かしながら剥がすと、切り込み深部２５に亀裂が生じ易くなり、その結果この不正行為による痕跡が残るようになる。
【００２５】
図７は、垂直シール接着面７に設けられた半円錐形状の立体造形２３の正面図であり、この半円錐形状の立体造形２３は、図６に示す三角錐形状の立体造形２０と比べた場合、三角錐形状の凸状の角がないことで垂直シール接着面と封印シールとの間に隙間（ウキ）が生じない、すなわち密着性に良いという特徴がある。垂直シール接着面７に設けられる両方の立体造形２０、２３としては、上部シール仮想線２１付近は平面で、封印シール６の端部６ａにいく程は起伏が大きくなる形状であれば、どのような形であってもよい。
【００２６】
図１０は、封印シール６の先端部６ａ表面に地紋３０と固有番号３１を設けた正面図であり、封印シール６は、表面側にコート層を持ち層間剥離しにくい紙基材を使った片面コート紙であり、その紙基材の裏面側には接着剤が塗布されている。表面側には、地紋３０に示すような微細な文字、ロゴマーク、図形などが紙基材の上のコート層上に印刷されており、例えば、図４（ｂ）に示すようにシール垂直接着面７に貼られた状態にある封印シール６を、その先端部６ａを浮かしながら剥がすと、シールの紙基材が部分的に延びてしまい、前述の微細な文字、ロゴマーク、図形などの形が変形することでその行為の痕跡が残るようになる。
【００２７】
なお層間剥離しにくい紙基材としたのは、基材の紙層から剥されてしまうと、残った下の紙層および接着層は溶剤などを使用して簡単に剥されてしまい、回路ボックスが開けられたのち、剥し取った上の層の裏面に適当な接着剤を塗布して、同じように貼られてしまうとその不正行為の痕跡が残らないため、層間剥離しにくい紙基材を使うことが好ましい。
【００２８】
また、固有番号３１は、封印シール６の両先端部６ａ付近に印字され、インキジェット方式、レーザー方式、サーマルヘッド方式等のプリンタでプリントされるもので、封印シール６のシリアル番号、回路基板管理番号、後述のＲＦＩＤタグの識別情報などの文字である。また固有番号３１は、地紋３０と同様に紙基材が部分的に延びて文字が変形してしまう効果を狙ったものであるが、地紋３０との違いは封印シール６一枚ごとの内容が異なる固有番号であることと、さらに地紋３０の上に固有番号３１を上書きすることで封印シール６の偽造対策効果もある。
【００２９】
図１１は、封印シール６の裏面に識別情報を持つ非接触ＩＣタグのＩＣチップ４０と外部読み取り装置と間で無線通信をおこなうためのアンテナ４１を設けた図であり。封印シール６の両先端部６ａ分にループアンテナ４１のエレメントを設けることで、封印シール６の先端部６ａを剥がす際に、この封印シール６に亀裂ができると同時にアンテナエレメント４１が切断されアンテナとしての機能が失われ、よって外部読み取り装置との無線通信ができなくなるので不正があったことが判明する。
【００３０】
また図１２は、シール曲げ貼り溝５の両端側から照明する照明具を設けた斜視図であり、封印シール６の剥がされた痕跡、または貼り直しされた痕跡等の目視確認する際、遊技装置の設置場所の照度、遊技装置の内部照度が常に最良の状態とは限らないため、本発明では図１２に示す位置にＬＥＤランプ５０を設けたものである。回路ボックス本体１は、容器内の回路基板２の状態がそのままの状態で確認できるよう透明部材でできているため、回路ボックス本体１の部材を通して光が照射できるようになっていて、ＬＥＤランプ５０から透明部材を通しての照射によって、常に最良の状態で封印シール６の剥がされた痕跡、または貼り直しされた痕跡等の目視確認ができるようになる。
なお、ＬＥＤランプ５０の位置としては、シール曲げ貼り溝５を照明できればどの位置であってもよく、また光透過性を持った封印シール６であれば、垂直シール接着面７の面を回路ボックス本体１の部材を通して照射することもできる。
【図面の簡単な説明】
【００３１】
【図１】本発明の回路ボックスの一実施の形態を示すもので、ヒンジ付蓋が開いた状態の斜視図である。
【図２】本発明の回路ボックスの一実施の形態を示すもので、ヒンジ付蓋が閉じた状態の斜視図である。
【図３】本発明の回路ボックスとそれを封印する封印シールがシールされる形態を示す斜視図である。
【図４】本発明の回路ボックスのシール貼り付け部に封印シールが貼付された形態を示すもので、（ａ）は、その斜視図であり、（ｂ）は、（ａ）のＡ部の拡大断面図である。
【図５】図４（ｂ）に示すシール曲げ貼り溝の垂直シール接着面に貼付された封印シールを目視した際の拡大断面図である。
【図６】本発明の回路ボックスのシール曲げ貼り溝を構成する垂直シール接着面の形状の一事例を示す拡大正面図である。
【図７】本発明の回路ボックスのシール曲げ貼り溝を構成する垂直シール接着面の形状の他の事例を示す拡大正面図である。
【図８】本発明の封印シールの一部を示す拡大正面図である。
【図９】本発明の封印シールの一部がシール垂直接着面に設けられた立体造形部に貼付された状態を示す拡大正面図である。
【図１０】本発明の封印シールの表面の一事例を示す正面図である。
【図１１】本発明の封印シールの裏面の一事例を示す正面図である。
【図１２】本発明の回路ボックスを構成するシール曲げ貼り溝を照明する照明具の一事例を示す斜視図である。
【符号の説明】
【００３２】
１‥‥回路ボックス本体
１ａ‥‥回路ボックス本体の開口部
１ｂ‥‥回路ボックスの上板
１ｃ‥‥回路ボックスの上板の端部
２‥‥回路基板
３‥‥ヒンジ付蓋
３ａ‥‥ヒンジ部
３ｂ‥‥ヒンジ付蓋の端部
４‥‥シール貼り付け部
５‥‥シール貼り付け溝
６‥‥封印シール
６ａ‥‥封印シールの先端部
７‥‥垂直シール接着面
８‥‥傾斜面
９‥‥突起
１０‥‥シール曲げ部
１１‥‥目
２０‥‥三角錐形状の立体造形
２１‥‥上部シール仮想線
２２‥‥下部シール仮想線
２３‥‥半円錐形状の立体造形
２４‥‥切り込み
２５‥‥切り込み深部
３０‥‥固有番号
３１‥‥地紋
４０‥‥ＩＣチップ
４１‥‥アンテナ
５０‥‥ＬＥＤランプ
【図１】
2009125110.tif 000003
【図２】
2009125110.tif 000004
【図３】
2009125110.tif 000005
【図４】
2009125110.tif 000006
【図５】
2009125110.tif 000007
【図６】
2009125110.tif 000008
【図７】
2009125110.tif 000009
【図８】
2009125110.tif 000010
【図９】
2009125110.tif 000011
【図１０】
2009125110.tif 000012
【図１１】
2009125110.tif 000013
【図１２】
2009125110.tif 000014